(57)【特許請求の範囲】
【請求項１】
単一の簡易操作ボタンと二つの誤操作防止ボタンとを有するスイッチ本体と、このスイッチ本体に着脱可能となされたカバーとを具備し、
スイッチ本体は、長手方向に沿った一端側の上面部に単一の簡易操作ボタンが設けられ、一端側の両側面部にそれぞれ誤操作防止ボタンが設けられ、
カバーは、中空形状に形成され、一側面に設けられた開口部から、その内部にスイッチ本体が差し込み可能となされ、カバーの一端部寄りの上面部に簡易操作ボタンを露出させる簡易操作用開口部が設けられ、カバーの他端部寄りの両側面部に誤操作防止ボタンを露出させる誤操作防止用開口部が設けられ、
スイッチ本体に対して一方向からカバーを差し込んで一体化することで、簡易操作用開口部から簡易操作ボタンが露出し、誤操作防止ボタンが露出しない簡易操作状態となり、スイッチ本体に対して他方向からカバーを差し込んで一体化することで、誤操作防止用開口部から誤操作防止ボタンが露出し、簡易操作ボタンが露出しない誤操作防止状態となることを特徴とするボタンスイッチ。
【請求項２】
スイッチ本体は、簡易操作ボタンの簡易操作スイッチ端子と、誤操作防止ボタンの誤操作防止スイッチ端子とが直列に接続され、露出しないボタンはカバーによって常時押された状態となされ、露出されたボタンを押すと、全てのボタンが押されて全てのスイッチ端子が作動し、送信出力を行うようになされた請求項１記載のボタンスイッチ。
【発明の詳細な説明】
【０００１】
【発明の属する技術分野】
本発明は、押しボタンスイッチに関するものである。
【０００２】
【従来の技術】
一般に、非常時や緊急時などを通報するために、ボタンスイッチを使用することが行われている。
【０００３】
従来より、この種のボタンスイッチとしては、図９に示すように、装置本体ｂに、押し易いように大型化した一つのボタンｃを設けた簡易操作スイッッチａが知られている。
【０００４】
また、図１０に示すように、装置本体ｄに一対のボタンｅが設けられ、双方のボタンｅを略同時に押さなければ作動しないようになされた誤操作防止スイッチｆが知られている。
【０００５】
【発明が解決しようとする課題】
しかし、上記従来の簡易操作スイッチａは、ボタンｃが大型化されているため、押し易い反面、ボタンｃに不用意に触れてしまい誤操作による誤通報が発生し易くなるといった不都合を生じる。
【０００６】
一方、上記従来の誤操作防止スイッチｆは、双方のボタンｅを略同時に押さなければ作動しないため、誤操作が少なくなる反面、非常時や緊急時などの混乱状態において、双方のボタンｅを間違えることなく押すことができるように、使用者を教育しておく必要があるといった不都合を生じる。
【０００７】
このように、上記従来の簡易操作スイッチａと誤操作防止スイッチｆとは、簡易操作性能と、誤操作防止性能といった相反する特徴を有するため、使用者は、何方のスイッチａ、ｆが使用環境に好適なのかを購入時に見極めなければならない。したがって、見極めを誤って、簡易操作スイッチａの使用に好適な環境で、誤操作防止スイッチｆを使用してしまうと、上記不都合が顕著になってしまう。また、購入後の使用環境の変化で使い勝手が悪くなってしまったような場合、スイッチａ、ｆの買い換えをしなければならないといったことになる。
【０００８】
さらに、このような非常時や緊急時などを通報するための上記スイッチａ、ｆ以外に、機器類を遠隔操作するようになされた遠隔操作装置（図示省略）などの場合には、制御する機器毎に遠隔操作装置があるので、使用環境下において、遠隔操作装置の数が多くなってしまう。そのため、一つの遠隔操作装置に複数のボタンを設けて複数の機器を制御できるようにすることが考えられるが、この場合、誤操作を生じることとなる。
【０００９】
本発明は、係る実情に鑑みてなされたものであって、簡易操作性と誤操作防止性との何方を優先させるかを簡単に切り替えることができるボタンスイッチを提供することを目的としている。
【００１１】
【課題を解決するための手段】
上記課題を解決するための本発明のボタンスイッチは、単一の簡易操作ボタンと二つの誤操作防止ボタンとを有するスイッチ本体と、このスイッチ本体に着脱可能となされたカバーとを具備し、スイッチ本体は、長手方向に沿った一端側の上面部に単一の簡易操作ボタンが設けられ、一端側の両側面部にそれぞれ誤操作防止ボタンが設けられ、カバーは、中空形状に形成され、一側面に設けられた開口部から、その内部にスイッチ本体が差し込み可能となされ、カバーの一端部寄りの上面部に簡易操作ボタンを露出させる簡易操作用開口部が設けられ、カバーの他端部寄りの両側面部に誤操作防止ボタンを露出させる誤操作防止用開口部が設けられ、スイッチ本体に対して一方向からカバーを差し込んで一体化することで、簡易操作用開口部から簡易操作ボタンが露出し、誤操作防止ボタンが露出しない簡易操作状態となり、スイッチ本体に対して他方向からカバーを差し込んで一体化することで、誤操作防止用開口部から誤操作防止ボタンが露出し、簡易操作ボタンが露出しない誤操作防止状態となるものである。
【００１２】
さらに、上記ボタンスイッチにおいて、スイッチ本体は、簡易操作ボタンの簡易操作スイッチ端子と、誤操作防止ボタンの誤操作防止スイッチ端子とが直列に接続され、露出しないボタンはカバーによって常時押された状態となされ、露出されたボタンを押すと、全てのボタンが押されて全てのスイッチ端子が作動し、送信出力を行うようになされたものである。
【００１５】
【発明の実施の形態】
以下、本発明の実施の形態を図面を参照して説明する。
【００１６】
図１はボタンスイッチ１の全体構成の概略を示し、図２は同ボタンスイッチ１の簡易操作状態を示し、図３は誤操作防止状態を示している。
【００１７】
すなわち、このボタンスイッチ１は、三つのボタン２１、２２、２２を有するスイッチ本体２と、このスイッチ本体２に着脱可能となされたカバー３とを具備し、スイッチ本体２にカバー３を着脱することで、単一の簡易操作ボタン２１が露出した簡易操作スイッチ１ａと、二つの誤操作防止ボタン２２、２２が露出した誤操作防止スイッチ１ｂとに構成できるようになされている。
【００１８】
スイッチ本体２は、適宜の厚みがある矩形状に形成されており、長手方向に沿った一端側の両側面部および上面部の全体にかけて開口した切欠部２０が設けられている。切欠部２０には、この切欠部２０に合致するように形成された弾性部材２３が嵌合されている。嵌合部材２３は、切欠部２０に嵌合した状態で、スイッチ本体２の両側面部の位置に、それぞれ誤操作防止ボタン２２、２２が突設され、上面部の位置に、簡易操作ボタン２１が突設されいる。簡易操作ボタン２１に対向するスイッチ本体２の内部には、簡易操作ボタン２１を外部から押すことによって作動するようになされた簡易操作スイッチ端子２４が設けられている。誤操作防止ボタン２２、２２に対向するスイッチ本体２の内部には、誤操作防止ボタン２２、２２を外部から押すことによって作動するようになされた誤操作防止スイッチ端子２５、２５が設けられている。
【００１９】
このスイッチ本体２は、図４（ａ）に示すように、簡易操作ボタン２１および誤操作防止ボタン２２、２２の三つ全てが押され、三つのスイッチ端子２４、２５、２５が全て作動することによって、送信出力を行うようになされている。
【００２０】
カバー３は、適宜の厚みがある矩形の中空形状に形成されており、一側面に設けられた開口部３０から、その内側にスイッチ本体２が差込み可能となされている。このカバー３の一端部寄りの上面には、簡易操作ボタン２１が露出可能な開口部３１が設けられており、このカバー３の他端部寄りの両側面部には、誤操作防止ボタン２２、２２が露出可能な開口部３２、３２が設けられている。
【００２１】
したがって、スイッチ本体２に対して矢符Ａ方向からカバー３を差し込んで一体化すると、図２に示すように、カバー３の開口部３１から単一の簡易操作ボタン２１が露出した簡易操作スイッチ１ａが構成される。この際、誤操作防止ボタン２２、２２は、カバー３によって常時押された状態となされる。そのため、カバー３から露出された簡易操作ボタン２１を押すと、三つのボタン２１、２２、２２の全てが押されて三つのスイッチ端子２４、２５、２５が全て作動することとなり、簡易操作スイッチ１ａは、送信出力を行うこととなる。
【００２２】
また、スイッチ本体２に対して矢符Ｂ方向からカバー３を差し込んで一体化すると、図３に示すように、カバー３の開口部３２、３２から二つの誤操作防止ボタン２２、２２が露出し、誤操作防止スイッチ１ｂが構成される。この際、簡易操作ボタン２１は、カバー３によって常時押された状態となされる。そのため、カバー３から露出された二つの誤操作防止ボタン２２、２２を押すと三つのボタン２１、２２、２２の全てが押されて三つのスイッチ端子２４、２５、２５が全て作動することとなり、誤操作防止スイッチ１ｂは、送信出力を行うこととなる。この誤操作防止スイッチ１ｂは、誤操作防止ボタン２２、２２がカバー３の対向する両側面部の位置に露出することとなるため、指で挟むようにして二つの誤操作防止ボタン２２、２２を容易に押すことができる。また、誤操作防止ボタン２２、２２は、カバー３の対向する両側面部の位置に分かれているため、何か物に触れたり、落としたりしても二つの誤操作防止ボタン２２、２２が同時に押されるといったことになり難く、誤操作が防止される。
【００２３】
このようにして構成されるボタンスイッチ１の使用用途としては、例えば、老人や病人などの介護対象者に持たせて、ナースコールや緊急通報用に用いたり、安全確保を目的とした人物の警護、緊急対処用、非常通報用などに用いたり、工場の生産ラインにおいて、ラインの非常停止用に用いたりすることができる。
【００２４】
なお、本実施の形態では、図４（ａ）に示すように、スイッチ本体２の回路構成において、三つのスイッチ端子２４、２５、２５は、直列に接続されており、簡易操作ボタン２１および誤操作防止ボタン２２、２２を押して三つのスイッチ端子２４、２５、２５の全てが作動しなければ、送信出力が行われないようになされているが、図４（ｂ）に示すように、簡易操作スイッチ端子２４と誤操作防止スイッチ端子２５、２５とを並列に接続してもよい。この場合、簡易操作ボタン２１を押して簡易操作スイッチ端子２４が作動するだけ、または誤操作防止ボタン２２、２２を押して誤操作防止スイッチ端子２５、２５が作動することで、送信出力を行うことができる。また、このように簡易操作スイッチ端子２４と誤操作防止スイッチ端子２５、２５とを並列に接続した場合、図５および図６に示すように、スイッチ本体２にカバー３を被せた状態で、簡易操作ボタン２１または誤操作防止ボタン２２、２２が、カバー３によって押されるように構成しておく必要がない。
【００２５】
また、簡易操作スイッチ端子２４による作動、または誤操作防止スイッチ端子２５、２５による作動の切替の設定は、上記したようなスイッチ本体２の回路構成によって行われるようになされたものに限定されるものではなく、スイッチ本体２に別途設けられた切替スイッチ（図示省略）によって行うようになされたものであってもよい。また、三つあるスイッチ端子２４、２５、２５の何れか一つ以上を設定し、その設定したスイッチ端子２４、２５、２５が作動すれば送信出力が行われるようにした制御用のマイコンを、スイッチ本体２の回路構成に組み込んだものであってもよい。このような制御用のマイコンを組み込んだ場合、図３または図６に示すように、誤操作防止スイッチ１ｂを構成した状態で、双方の誤操作防止ボタン２２、２２を押すことによって送信出力が行われるようにすることに加えて、何れか一方の誤操作防止ボタン２２、２２を押すことによって送信出力が行われるようにすることもできるし、特定した一方の誤操作防止ボタン２２を押すことによって送信出力が行われ、特定していない他方の誤操作防止ボタン２３を押しても送信出力が行われないようにすることもできる。また、双方の誤操作防止ボタン２２、２２を押す際に、双方の誤操作防止ボタン２２、２２を完全に同時に押さなくても、何れか一方の誤操作防止ボタン２２が押されてから所定の入力受付時間内に他方の誤操作防止ボタン２２が押されれば双方の誤操作防止ボタン２２、２２が押されたものと判断して送信出力を行うようにすることもできる。
【００２６】
さらに、本実施の形態では、スイッチ本体２には、一つの簡易操作ボタン２１と、二つの誤操作防止ボタン２２、２２との合計三つが設けられているが、この簡易操作ボタン２１および誤操作防止ボタン２２、２２の合計の数は、特に三つに限定されるものではなく一つ、二つまたは四つ以上であってもよい。二つの場合、前述したスイッチ本体２に別途設けられた切替スイッチ（図示省略）と組み合わせ、カバー３によって何れか一方のボタンのみが露出するようにした場合には、その露出したボタンを押すことによって作動する簡易操作スイッチ１ａを構成することができ、カバー３を設けない、もしくはカバー３によって二つのボタン全てが露出するようにした場合には、それら二つのボタン操作によって作動する誤操作防止スイッチ１ｂを構成することができる。
【００２７】
また、図８に示すように、一つのボタン６１を有するスイッチ本体６に対して何れの方向Ａ、Ｂからカバー７を装着しても、一つのボタン６１のみが露出するように、ボタンスイッチ１２を構成してもよい。ただし、この場合は、露出しているボタンの数で、簡易操作状態と、誤操作防止状態とを切り替えることは出来ないので、カバーの装着方向により、ボタンの入力受付時間を変更する回路構成とし、簡易操作状態は、入力受付時間を短く、誤操作防止状態は、入力受付時間を長くしてもよい。
【００２８】
図８に示すボタンスイッチ１２の場合、同図に示すように、何れか一方の方向Ａからカバー７を装着した際には、スイッチ本体６に設けられた切替スイッチ６２がカバー７に設けられた突起片７１によって入力され、他の方向Ｂからカバー７を装着した際には、この切替スイッチ６２が入力されないようにしておくことができる。これにより、スイッチ本体６に対して異なった方向Ａ、Ｂからカバー７を装着することで、入力受付時間を変更することができる。
【００２９】
以上、ナースコールなどの通報用スイッチとしての実施例を説明してきたが、他の用途で使用される押ボタンスイッチにおいて、その実施例を説明する。
【００３０】
図７に示すカバー５を有するボタンスイッチ１１のように、スイッチ本体４に対して何れかの方向Ａ、Ｂからカバー５を装着した場合であっても、常に露出するボタン４２があってもよい。例えば、このようなボタンスイッチ１１は、エアコンの遠隔操作装置として使用することができる。すなわち、常に露出するボタン４２は、電源ボタンとし、一方向Ａからカバー５を装着した場合に露出するボタン４１を冷房、除湿用の制御ボタン、他方向Ｂからカバー５を装着した場合に露出するボタン４３を暖房、加湿用の制御ボタンといった具合にして、夏と冬とで装着する方向Ａ、Ｂを変えて使用することができる。
【００３１】
また、図８に示すボタンスイッチ２の場合、何れの方向Ａ、Ｂからカバー７を装着しても、露出するボタン６１が一つのため、通常では、発信される信号が同じになってしまう。したがって、前述したように、切替スイッチ６２がカバーの装着方向により、入力が切り替わることで、同じボタン６１を押しても、異なった信号を発信できるようにすることができる。
【００３２】
さらに、本実施の形態では、スイッチ本体２に、異なった方向Ａ、Ｂからカバー３を装着するようになされているが、カバー３を筒状に構成し、カバー３自体を反転させて、スイッチ本体２の一方（例えば、図１における矢符Ａ方向）から装着切替するようにしてもよい。この場合、スイッチ本体２がワイヤレス方式になっておらず、送信出力用のワイヤ（図示省略）を有するような場合であっても、カバー３を装着しない側にワイヤ（図示省略）を取りまわすことができる。
【００３４】
【発明の効果】
以上述べたように、本発明によると、スイッチ本体に対して一方向からカバーを差し込んで一体化することで、簡易操作用開口部から簡易操作ボタンが露出し、誤操作防止ボタンが露出しない簡易操作状態とすることができ、スイッチ本体に対して他方向からカバーを差し込んで一体化することで、誤操作防止用開口部から誤操作防止ボタンが露出し、簡易操作ボタンが露出しない誤操作防止状態とすることができるので、スイッチ本体にカバーを装着する方向を適宜選択することで、カバーの上面部に設けられた単一の簡易操作ボタンを押す簡易操作スイッチと、カバーの両側面部に設けられた二つの誤操作防止ボタンを押す誤操作防止スイッチとに簡単に切り替えることができる。また、使用環境に応じて、簡易操作性を優先させた簡易操作スイッチにしたり、誤操作防止性を優先させた誤操作防止スイッチにしたりすることができるので、双方のボタンスイッチを生産する必要が無く、生産販売を効率良く行うことができる。
【００３５】
また、請求項２記載の本発明によると、スイッチ本体にカバーを着脱切替する際に、露出されるボタンと露出されないボタンとを選別して露出されるボタンだけに反応してスイッチが作動するようにしなければならないといった煩わしい調整や複雑な回路が必要で無くなるので、スイッチ本体の構成を簡略化して安価に構成することができるとともに、簡易操作スイッチと誤操作防止スイッチとを簡単に切り替えることができ、使い勝手が良くなる。
【図面の簡単な説明】
【図１】本発明に係るボタンスイッチの全体構成の概略を示す分解斜視図である。
【図２】（ａ）および（ｂ）は、本発明に係るボタンスイッチであって、スイッチ本体とカバーとを組み合わせて簡易操作スイッチを構成した状態を示す平面図および同平面図におけるＩ−Ｉ線断面図である。
【図３】（ａ）および（ｂ）は、本発明に係るボタンスイッチであって、スイッチ本体とカバーとを組み合わせて誤操作防止スイッチを構成した状態を示す平面図および同平面図におけるII−II線断面図である。
【図４】（ａ）および（ｂ）は、それぞれ本発明に係るボタンスイッチにおけるスイッチ本体内の回路構成の実施の形態を示す回路図である。
【図５】（ａ）および（ｂ）は、本発明に係るボタンスイッチの他の実施の形態であって、スイッチ本体とカバーとを組み合わせて簡易操作スイッチを構成した状態を示す平面図および同平面図におけるIII-III 線断面図である。
【図６】（ａ）および（ｂ）は、本発明に係るボタンスイッチの他の実施の形態であって、スイッチ本体とカバーとを組み合わせて誤操作防止スイッチを構成した状態を示す平面図および同平面図におけるIV-IV 線断面図である。
【図７】（ａ）はボタンスイッチのさらに他の実施の形態を示す分解斜視図、（ｂ）および（ｃ）は同ボタンスイッチの使用状態を示す斜視図である。
【図８】（ａ）はボタンスイッチのさらに他の実施の形態を示す分解斜視図、（ｂ）は同ボタンスイッチの分解断面図である。
【図９】（ａ）および（ｂ）は、従来の簡易操作スイッチを示す平面図および同平面図におけるV-V 線断面図である。
【図１０】 (ａ) および( ｂ) は、従来の誤操作防止スイッチを示す平面図および同平面図におけるVI-VI 線断面図である。
【符号の説明】
１  ボタンスイッチ
１１  ボタンスイッチ
１２  ボタンスイッチ
１ａ  誤操作防止スイッチ
１ｂ  簡易操作スイッチ
２  スイッチ本体
２１  簡易操作ボタン
２２  誤操作防止ボタン
３  カバー
４  スホッチ本体
４１  ボタン
４２  ボタン
４３  ボタン
５  カバー
６  スイッチ本体
６１  ボタン
７  カバー
【図１】
0004448969.tif 000002
【図２】
0004448969.tif 000003
【図３】
0004448969.tif 000004
【図４】
0004448969.tif 000005
【図５】
0004448969.tif 000006
【図６】
0004448969.tif 000007
【図７】
0004448969.tif 000008
【図８】
0004448969.tif 000009
【図９】
0004448969.tif 000010
【図１０】
0004448969.tif 000011